(57)【要約】  プラスチック閉塞体は、扇形の注ぎ穴と、注ぎ穴に対して並進態様で移動され得るように回転キャップの裏面で案内されるスライド（２）とを有する回転キャップ（１）からなる。スライドは、その裏面に、下方に突出するカム（８）を有する。スライド（２）の下側にはゲートキャップ（３）が位置している。また、ゲートキャップのカバー（６）には、扇形の注ぎ穴が存在するとともに、その更に後側に、スライド（２）のカム（８）のためのゲートガイドとしての溝が存在する。ゲートキャップ（３）は、ボトルの首部または容器の注ぎ口に固定態様で取り付けられる。回転キャップ（１）がゲートキャップ（３）に対して回転させられると、スライドのカムは、ゲートガイドに沿って案内されて、スライド（２）を開位置へ引き込み、一方、反対方向に回転することにより、スライド（２）が元の閉位置へ移動される。【選択図】  図２
2009534266.tif 000002
【特許請求の範囲】
【請求項１】
ボトルの首部または容器の注ぎ口のためのスライド開口を有するプラスチック閉塞体であって、
扇形の注ぎ穴（１２）を有する回転キャップ（１）と、
前記注ぎ穴（１２）に対して並進態様で移動され得るように前記回転キャップの裏面で案内され且つ前記注ぎ穴（１２）を開閉するために下方に突出するカム（８）を有するスライド（２）と、
前記回転キャップ（１）の裏側に嵌め込まれるとともに、ゲートガイド（９）としての溝を有し、該溝内に前記スライド（２）の前記カム（８）が突出し、前記溝の前に注ぎ穴を有するゲートキャップ（３）と
を備え、
前記回転キャップ（１）が、前記ボトルの首部または前記容器の注ぎ口に固定するようになっている前記ゲートキャップ（３）上で回転することができ、その結果、前記回転キャップ（１）と前記ゲートキャップ（３）との相対的な移動が前記ゲートガイド（９）に沿う前記カム（８）の移動をもたらし、それにより、前記スライド（２）が開位置および閉位置へと並進態様で移動できる、プラスチック閉塞体。
【請求項２】
前記スライドが、２つの相対する側に、真直ぐなガイド側面（１１）を有し、該ガイド側面が、前記回転キャップ（１）の裏面に形成される２つのガイドレール（１０）間に緩く案内されるが完全に嵌合することを特徴とする、請求項１に記載のプラスチック閉塞体。
【請求項３】
前記スライド（２）が、２つの相対する側に、それぞれがスプリングを構成する真直ぐなガイド側面（１１）を有し、前記ガイド側面が、前記回転キャップ（１）の裏面に形成される２つのガイドレール（１０）間で案内され、前記各ガイドレールが、前記スプリングを受けるための溝を構成することを特徴とする、請求項１または２に記載のプラスチック閉塞体。
【請求項４】
前記スライド（２）が、２つの相対する側に、それぞれが溝を構成する真直ぐなガイド側面（１１）を有し、前記ガイド側面が、前記回転キャップ（１）の裏面に形成される２つのガイドレール（１０）間で案内され、もって、これらのガイドレールがそれぞれ、前記スライド（２）の前記溝のためのスプリングを構成することを特徴とする、請求項１〜３のいずれか一項に記載のプラスチック閉塞体。
【請求項５】
前記注ぎ穴（１２）が、前記回転キャップおよび前記ゲートキャップの少なくとも９０°の角度の扇形にわたって延びていることを特徴とする、請求項１〜４のいずれか一項に記載のプラスチック閉塞体。
【請求項６】
前記注ぎ穴（１２）が、前記回転キャップおよび前記ゲートキャップの所定の角度の扇形状態で、縁部に近いポイントから始まってそれらの半径の少なくとも３／４にわたって延びていることを特徴とする、請求項１〜５のいずれか一項に記載のプラスチック閉塞体。
【請求項７】
前記回転キャップおよび前記ゲートキャップには、それらの外周に沿って、ビードまたはスナップ取り付け要素が設けられ、それにより、これらのキャップを互いにクリック係合することができるが、組み付け状態では、これらのキャップを互いに対して回転させることもできることを特徴とする、請求項１〜６のいずれか一項に記載のプラスチック閉塞体。
【請求項８】
前記ゲートキャップ（３）の下方に突出する縁部にはその内側に雌ネジが設けられていることを特徴とする、請求項１〜７のいずれか一項に記載のプラスチック閉塞体。
【請求項９】
前記ゲートキャップ（３）の下方に突出する縁部にはその内側に雌ネジが設けられ、前記縁部には、その内側に、ボトルの首部または容器の注ぎ口とのその螺合により静止摩擦を高めるためのゴム要素が設けられることを特徴とする、請求項１〜８のいずれか一項に記載のプラスチック閉塞体。
【請求項１０】
前記ゲートキャップ（３）の下方に突出する縁部には、その内側に、縁部で横切る或いは部分的に穿孔されたビードが設けられ、もって、ゲートキャップ（３）の下方に突出する前記縁部をボトルの首部または容器の注ぎ口上に押し付けることができることを特徴とする、請求項１〜８のいずれか一項に記載のプラスチック閉塞体。
【発明の詳細な説明】
【技術分野】
【０００１】
[0001]本発明は、コーヒー顆粒またはミルク粉末などのバルク商品、米またはロールドオートなどの粒状バルク商品を収容するが、洗浄粉末などの非食品分野からのバルク商品も収容するボトル状の容器のためのプラスチック閉塞体に関する。
【背景技術】
【０００２】
[0002]米国で特に人気のあるコーヒー用クリームのための約１リットルの容積を有するプラスチックボトルは既に良く知られている。この種のボトルはネジ首部を有しており、このネジ首部の直径は、ボトル自体の直径とほぼ同じであり、すなわち、８〜１０ｃｍ程度である。この場合、スクリューキャップがこの首部に取り付けられる。スクリューキャップは、粉末の注ぎ込み或いは除去を可能にするために首部から取り外され、その後、ボトルが満たされている高さに応じてボトルを傾斜姿勢へと傾けることができ、穏やかに振り動かすことにより内容物を振り出すことができる。そうでなければ、計量スプーンをボトルの内部に導入して、スプーンのサイズの量の粉末を取り出すことができる。この種の回転キャップカバーに関連する不都合は、内容物の除去を可能にするために、キャップカバーを完全に回してボトルから取り外さなければならないという点である。ボトルをキャップから離間して持ち去る場合には、キャップを紛失する可能性がある。
【発明の開示】
【発明が解決しようとする課題】
【０００３】
したがって、回転キャップと同様にコンパクトであるが、内容物の量り分けを可能にするために除去される必要がない閉塞体を有することが望ましい。この閉塞体は、操作が簡単であり、製造が経済的でなければならない。
【課題を解決するための手段】
【０００４】
[0003]前記目的は、ボトルの首部または容器の注ぎ口のためのスライド開口を有するプラスチック閉塞体であって、扇形の注ぎ穴を有する回転キャップと、注ぎ穴に対して並進態様で移動され得るように回転キャップの裏面で案内され且つ注ぎ穴を開閉するために下方に突出するカムを有するスライドと、回転キャップの裏側に嵌め込まれるとともに、ゲートガイドとしての溝を有し、この溝内にスライドのカムが突出し、上記溝の前に注ぎ穴を有するゲートキャップとから構成され、回転キャップは、ボトルの首部または容器の注ぎ口に取り付け固定するようになっているゲートキャップ上で回転することができ、その結果、回転キャップとゲートキャップとの相対的な移動がゲートガイドに沿うカムの移動をもたらし、それにより、スライドが開位置および閉位置へと並進態様で移動できる、プラスチック閉塞体によって達成される。
【０００５】
[0004]スライド開口を有するこのプラスチック閉塞体の有利な実施形態が様々な視点で図示されている。以下、取り付けられた閉塞体におけるこれらの個々の部品及びそれらの相互作用について図示して説明する。
【発明を実施するための最良の形態】
【０００６】
[0005]図１は、スライド開口を上からの角度で見た組み立て状態のプラスチック閉塞体を示しており、この場合、スライドは閉じられた状態にあり、したがって、閉塞体も閉じられた状態にある。閉塞体は３つの部品から構成され、これらの部品は、第１に、縁部４によって境界付けられる所定角度の扇形状の注ぎ穴を有する回転キャップ１であり、第２に、並進態様で移動され得るように回転キャップの下側で案内されるスライド２であり、また、第３に、ここでは下方へ突出する縁部しか見ることができないゲートキャップ３であり、その突出する縁部を用いて、このゲートキャップ３をボトルの首部または容器の注ぎ口に対して押し付け、捩じ込み、あるいは、スナップ係合することができる。
【０００７】
[0006]図２は、既に半分開放した状態のこのプラスチック閉塞体を示している。開放は、反時計周り方向へ一方の手で回転キャップ１を回転させることにより行なわれ、一方、他方の手はボトルまたは容器をしっかりと握る。ボトルまたは容器に取り付けられるゲートキャップ３は、ボトルまたは容器と共に静止したままである。リブ付きの縁部５は、回転キャップ１を回転させるために使用される。回転キャップ１を下側にあるゲートキャップ３に対して回転させるという行為は、スライド２の並進移動を引き起こす。この特定の場合において、これは、回転キャップ１の扇形の注ぎ穴から既に僅かな量だけ引き出されている。ゲートキャップのカバー６の部分をスライド２の下側に見ることができる。
【０００８】
[0007]スライド開口が完全に開放されたプラスチック閉塞体が図３に示されている。この状態では、回転キャップ１の注ぎ穴がゲートキャップ３の注ぎ穴の正に上側に位置しており、スライド２の全体がこれらの穴から退避されている。ゲートキャップ３のカバー６の排出穴の縁部７を正に底部で見ることができ、回転キャップ１の注ぎ穴の縁部４を正に上端で見ることができる。これらの間には、退避されたスライド２の前縁がはっきりと見える。
【０００９】
[0008]これらの３つの部品の機械的な相互作用が明確に分かるようにするため、以下、閉塞体をその分解された状態で説明する。すなわち、図４は、プラスチック閉塞体の３つの個々の部品をそのスライド開口と共に示している。最初に、注ぎ穴１２を有する回転キャップ１が上側に見られ、ここでは、回転キャップ１はその下側の方から見たものとして示されている。この注ぎ穴は、回転キャップ１の扇形の角度にわたって延びており、少なくとも９０°の扇形にわたっている。径方向で、注ぎ穴は、回転キャップ１の半径の約３／４にわたって延びており、これに関連して、注ぎ穴は、外見的には回転キャップ１の縁部の近傍で始まっている。回転キャップ１の裏面には２つのガイドレール１０が形成されており、また、ガイドレールは外見的には下方に突出する縁部を成している。スライド２は回転キャップ１の下側で見ることができるが、ここでは、スライドが異なる観察角度から示されている。このスライド２は、回転キャップ１上のガイドレール１０間に挿入される。その２つの対向する真直ぐなスライド側面１１がガイドレール１０間またはガイドレール１０内へ挿入される。このため、これらのスライド側面１１をスプリングとして作成することができ、また、関連するガイドレール１０が溝を形成することができ、それにより、各スライド２が挿入後に回転キャップ１のスプリング−溝接続に沿って保持される。しかしながら、変形例として、スライド２は、２つのガイドレール１０間で完全に嵌合されるが、単に緩く横たえることができる。スライドの裏面の一方側にはカム８が形成されており、このカムの機能は以下で明らかとなる。ゲートキャップ３が下側に示されており、この場合、ゲートキャップはその裏面へ向けて上側から見られている。このゲートキャップ３のカバー６にはスロットが横切って形成されており、このスロットはゲートガイド９としての役目を果たす。注ぎ穴がその縁部７を伴ってこのゲートガイド９と対向して存在する。この注ぎ穴は、そのサイズおよび形状に関し、回転キャップ１の注ぎ穴と正確に一致する。このゲートキャップ３の突出縁部は、内側のその最外端にビードを有しており、それにより、ゲートキャップ３をボトルの首部または容器の注ぎ口に押圧することができ、その結果、ゲートキャップがこの首部または注ぎ口に固定保持される。しかしながら、縁部の内側に小さなピッチを有するネジを設けることもでき、それにより、ゲートキャップ３を首部のネジに螺合することができる。この場合、ゲートキャップが非常に強固に首部に螺合されるため、閉塞体の操作によってネジ接続が外れることはない。必要に応じて、摩擦力を高めるために、挿入ゴム要素を使用することもできる。
【００１０】
[0009]図５は、スライド２が閉位置に挿入された回転キャップ１を示しているが、この図からはゲートキャップが省かれている。次に、図６は、スライドが半開放位置に挿入された回転キャップを示している。ここでは、回転キャップ１の注ぎ穴１２の一部が既に分かり、また、最後に、図７は、スライド２が開放位置に挿入された回転キャップ１を示している。ここでは、回転キャップ１の注ぎ穴１２がはっきりと分かる。
【００１１】
[0010]ここで、図８は組み付けられた閉塞体を示している。この場合、回転キャップ１は、スライド２およびゲートキャップ３と共に、スライド２が閉位置にある状態で下側から見られている。図から分かるように、スライド２の裏面にあるカム８がゲートガイド９内に突出する。ここに示されるスライド２の閉位置では、カム８がゲートガイド９の一端に存在する。図９に示される状態は、回転キャップ１がゲートキャップ３に対して僅かな量だけ回転させられた後の状態である。また、この回転により、回転キャップ１上のスライド２も回転し、また、それに応じてスライド２上のカム８も回転する。しかしながら、カム８は、ゲートガイド９によって案内されるとともに、最初はきつく常に半径が増大する状態のゲートガイド９の変形によって移動され、それにより、カム８は、回転キャップ１に対して径方向に移動し、それに応じて、回転キャップ１上のスライド２がガイドレール１０間で並進態様で変位動作する。図１０に示されるように、カム８がゲートガイド９の他端に達すると、スライド２が開放位置となる。
【００１２】
[0011]スライド２が半開放位置にある状態における、スライド２およびゲートキャップ３を伴う回転キャップ１の断面を図１１において見ることができ、一方、図１２では、スライドが閉位置にある。図から分かるように、ゲートキャップ３はそれが狭い肩部をその外縁に形成するように作られており、回転キャップ１は、この肩部上に載置するとともに、その下方に突出する縁部で案内される。無論、回転キャップ１をゲートキャップ３に対して容易に回転させることができるように、回転キャップ１の外縁にはリブが設けられている。これに関連して、カム８を有するスライド２が回転キャップ１と共に回転し、また、カム８が回転ゲートガイド９に沿って移動され、それにより、スライド２の並進移動が引き起こされる。回転キャップ１を反時計周りに回転させ、すなわち、上側から見て左方向へ回転させると、スライド２が開放位置へと移動され、また、回転キャップ１を反対方向に回転させると、スライド２が元の閉位置へと移動される。
【図面の簡単な説明】
【００１３】
【図１】スライド開口を上側からの角度で見た閉状態の組み付けられたプラスチック閉塞体を示している。
【図２】スライド開口を上側からの角度で見た半開放状態の組み付けられたプラスチック閉塞体を示している。
【図３】スライド開口を上側からの角度で見た開状態の組み付けられたプラスチック閉塞体を示している。
【図４】スライド開口を有するプラスチック閉塞体の個々の部品を示している。
【図５】スライドがスライドの閉位置に挿入された回転キャップを示している。
【図６】スライドがスライドの半開放位置に挿入された回転キャップを示している。
【図７】スライドがスライドの開位置に挿入された回転キャップを示している。
【図８】スライドが閉位置にある状態でスライドおよびゲートキャップを下側から見た回転キャップを示している。
【図９】スライドが半開放位置にある状態でスライドおよびゲートキャップを下側から見た回転キャップを示している。
【図１０】スライドが開位置にある状態でスライドおよびゲートキャップを下側から見た回転キャップを示している。
【図１１】スライドが半開放位置にある状態でスライドおよびゲートキャップを伴う回転キャップを断面で示している。
【図１２】スライドが閉位置にある状態でスライドおよびゲートキャップを伴う回転キャップを断面で示している。
【図１】
2009534266.tif 000003
【図２】
2009534266.tif 000004
【図３】
2009534266.tif 000005
【図４】
2009534266.tif 000006
【図５】
2009534266.tif 000007
【図６】
2009534266.tif 000008
【図７】
2009534266.tif 000009
【図８】
2009534266.tif 000010
【図９】
2009534266.tif 000011
【図１０】
2009534266.tif 000012
【図１１】
2009534266.tif 000013
【図１２】
2009534266.tif 000014
【国際調査報告】
2009534266.tif 000015
2009534266.tif 000016
2009534266.tif 000017
2009534266.tif 000018
2009534266.tif 000019
2009534266.tif 000020